(57)【特許請求の範囲】
【請求項１】
安全キャビネットであって、１つの底部材（１０）と、２つの側面部材（３０．１，３０．２）と、１つの後壁部材（６０）と、１つの頭部材（７０）と、扉部材（５０）のための接続部材を備えた、前方の大枠部材（２０）または前方および後壁部材の代わりの後方の大枠部材（２０，４０）とを有しており、これらの部材が、互いに向かい合わされた結合面に、使用者による組み立ておよび分解のための補完的な結合部材（８０，９０）とシール部材とを備えている形式のものにおいて、
全ての部材（１０，３０．１，３０．２，５０，６０，７０）が二重壁構造に形成され、該部材（１０，３０．１，３０．２，５０，６０，７０）には、防音および/または防火のための絶縁材料（２８，２９）が充填されており、該絶縁材料（２８，２９）が金属薄板壁（２６，２７）によって取り囲まれており、これにより狭い結合面が当接箇所として形成され、前記部材（１０，３０．１，３０．２，５０，６０，７０）間の当接箇所が、高温に対して耐性を有するシール部材（１００）を用いてシールされており、
単数又は複数の大枠部材（２０，４０）の垂直方向の枠脚部（２１，２２，４１，４２）が横断面Ｌ字形に形成されていて、その一方の脚の狭い結合面が、それぞれ隣接する側面部材（３０．１；３０．２）のための当接箇所を形成していて、他方の脚の狭い結合面が、前方および場合によっては後方の大枠部材（２０，４０）の、それぞれ上方および下方の水平な枠脚部（２３，２４，４３，４４）のための当接箇所を形成しており、
結合部材（８０，９０）が、前記部材（１０，３０．１，３０．２，５０，６０，７０）の金属薄板壁（２６，２７）の間に組み込まれた打ち掛け錠として形成されていて、側面部材（３０．１，３０．２）、後壁部材（６０）、底部材（１０）、頭部材（７０）、垂直方向の枠脚部（２１，２２，４１，４２）、水平方向の枠脚部（２３，２４，４３，４４）の、互いに当接する面に組み込まれていることを特徴とする、安全キャビネット。
【請求項２】
底部材（１０）および頭部材（７０）が同一形に形成されている、請求項１記載の安全キャビネット。
【請求項３】
前方の大枠部材（２０）が垂直方向の枠脚部（２１，２２）および水平方向の枠脚部（２３，２４）から、後方の大枠部材（４０）が垂直方向の枠脚部（４１，４２）および水平方向の枠脚部（４３，４４）から同様にフレーム状に組み立てられ、かつ同一形に形成されている、請求項１または２記載の安全キャビネット。
【請求項４】
扉部材（５０）が同様に、前方の大枠部材（２０）および/または後方の大枠部材（４０）と結合可能であり、大枠部材（２０，４０）の垂直方向の枠脚部（２１，２２；４１，４２）の互いに適合された結合箇所に、蝶番兼閉鎖部材（２４，４５；５１）が設けられている、請求項１から３までのいずれか１項記載の安全キャビネット。
【請求項５】
防火および防ガス特性を有するケーブル隔壁システムが、水平方向の枠脚部（２３，２４，４３，４４）の代わりに少なくとも部分的に組み込まれている、請求項１から４までのいずれか１項記載の構成セット。
【請求項６】
安全キャビネット間の側面部材（３０．１，３０．２）を取り外すことにより、複数の安全キャビネットが並列されるようになっている、請求項１から５までのいずれか１項記載の構成セット。
【請求項７】
支持枠構造（２００）が、装着されかつ配線されたユニットとして安全キャビネットに組み込まれており、該安全キャビネットに結合されている、請求項１から６までのいずれか１項記載の安全キャビネット。
【発明の詳細な説明】
【０００１】
本発明は、安全キャビネットを組み立てるため、および装着されかつ接続された支持枠構造を上張り部材と少なくとも１つの扉とによって後から上張りをするための方法、ならびにこの方法を実行するための構成セットに関する。
【０００２】
すでに完全に組み立てられかつ運転準備状態にある支持枠構造を、変化する運転条件および使用状況によって、程度の差こそあれ後から保護しなくてはならないことは、よくあることである。。それは、例えば埃からの保護、飛沫水からの保護、防音、および防火等であり、このために、支持枠構造を後から上張りすることが必要となる。
【０００３】
したがって、本発明の課題は、支持枠構造への係合なしに簡単な手段で実現可能な、安全キャビネットを組み立てるため、特に整備された支持枠構造を後から上張りするための方法を提供することである。
【０００４】
この課題を解決した本発明の方法では、支持枠構造を少なくとも底部材の厚さだけ持ち上げ、そこに差し入れた底部材の上に支持枠構造を載せて位置決めし、支持枠構造の前面の領域で、扉部材のための接続部材を備えた前方の大枠部材を底部材の上に載せて底部材に結合させ、底部材の上に載せた側面部材に前方の大枠部材を結合させ、支持枠構造の背面の領域で、後方の大枠部材または後壁部材を底部材の上に載せて両方の側面部材に結合させ、頭部材を、大枠部材、側面部材、および場合によっては後壁部材の上に載せて、大枠部材および／または側面部材に結合させる。
【０００５】
支持枠構造は、接続ケーブルを解離することなしに、底部材を下に差し入れるのに必要な高さだけ巻上げ装置によって持ち上げることができる。底部材を差し入れた後、支持枠構造を載せ、底部材が全ての面で支持枠構造から、次のような距離、すなわち上張りのために設けられた部材を底部材の上に載せて、場合によってはこの底部材に結合させることのできるような距離だけ張り出すように位置決めする。
【０００６】
支持枠構造がない場合には、上記の初めの２段階を行うことなしに安全キャビネットを組み立てることができるが、後からキャビネットに内部の部材を配置することができる。
【０００７】
上張りされた支持枠構造の前面および背面へ接近できるようにしたい場合には、前方の大枠部材および後方の大枠部材が使用される。前面への１カ所からの接近しか必要がない場合には、背面には、後壁部材による上張りおよび／または空調器具の設置がなされる。部材間の結合は、部材の、水平方向および／または垂直方向の互いの当接端面に設けられている、適合された箇所でなされる。この場合、十分に結合が保持されるように、２つの部材間の結合箇所の数は２つまたはそれ以上にすることができる。
【０００８】
複数の大枠部材を前面および後壁部材が互いに隣り合うように並列させ、並列安全キャビネットを組み立てることも考え得る。この場合、キャビネット間にある側壁を取り外し、複数の底部材または１つの共通の底部材を使用することもできる。
【０００９】
有利な実施形態では、前方の大枠部材および後方の大枠部材が、垂直方向の枠脚部および水平方向の枠脚部からフレーム状に組み立てられる。この場合、必要な部材を減じるために、前方の大枠部材および後方の大枠部材が同一形に形成される。
【００１０】
同様の目的で、底部材および頭部材を同一形に形成することを特徴とする実施形態が提供される。
【００１１】
上張り部材の簡単で迅速な取り付けは、次のように、すなわち部材を結合させるために自体公知の打掛け錠を使用し、この打掛け錠の互いに適合された錠部材を、結合させる部材の、上張り部材の互いの当接面の互いに適合された結合箇所に組み込むことによって行うことができる。このようなフック錠は市販されており、２つの錠区分は、部材の互いの当接端面に組み込み可能である。フックは、１つの錠区分内で回転可能に支承されていて、もう１つのスリーブ状の錠区分内へ導入できるようになっている。導入後、このフックは、緊締ボルトに向かって回転せしめられ、付加的に偏心的に調節される場合には相応に緊定され、これにより、互いに結合された部材は緊張して互いに引っ張りあう。このため、部材は、対応配置された錠区分内でフックが回転できるように、フックの回転支承部への接近開口を１つだけ有していなければならない。
【００１２】
画一的な結合部材を全ての結合箇所で使用できるように、別の実施形態では、大枠部材の垂直方向の枠脚部の横断面がＬ字形に形成され、この枠脚部には、垂直方向の側方部材のための結合端面が設けられている。
【００１３】
部材は、有利には、部材が二重壁になるようにかつ部材に絶縁材料が充てんされるように組み立てられる。
【００１４】
この場合、有利には、金属薄板壁によって囲まれた防音および／または防火特性を有する絶縁材料が使用される。
【００１５】
部材間の当接箇所を耐火性が保たれるように閉鎖するために、別の実施形態では、部材間の当接箇所は、高温に対して耐性を有していて火災の際には膨張するシール部材によってシールされている。
【００１６】
扉の取り付けは、単に、扉部材によって前方の大枠部材および後方の大枠部材を閉鎖することによって行うことができ、この場合、大枠部材の垂直方向の枠脚部および扉部材には、互いに適合された箇所に蝶番兼閉鎖部材が設けられている。
【００１７】
本発明の方法の実施のための構成セットは、次の部材から成っている。
【００１８】
ａ）プレート状の構成部材、側面部材、および頭部材、
ｂ）フレーム状の前方の大枠部材、
ｃ）フレーム状の後方の大枠部材またはプレート状の後壁部材。
【００１９】
これらの部材の、互いに当接する水平方向および／または垂直方向の端面の互いに向かい合わされた結合箇所は全て、補完的な結合部材を備えており、互いに結合可能になっている。
【００２０】
異なる部材の必要数を減じるため、有利には、底部材と頭部材、ならびに前方の大枠部材と後方の大枠部材が、それぞれ同一形に形成されている。
【００２１】
簡単な構成で安全キャビネットを外部から隔離するために、水平方向の枠脚部には、耐火性およびガスに対するシール性を有するケーブル隔壁部材が少なくとも部分的に設けられている。
【００２２】
内室は、側面部材を取り外して、複数の大枠部材もしくは後壁部材を互いにシール性が保たれるように結合することによって、簡単に拡張することができる。
【００２３】
本発明の実施例を図面に基づき以下に詳細に説明する。
【００２４】
図１は、整備されかつ組み立てられた枠組み構造を上張りするために必要な部材を示す斜視的分解図である。
【００２５】
図２は、２つの部材間の結合箇所を示す部分拡大図である。
【００２６】
図３は、市販の打掛け錠の斜視図である。
【００２７】
図４は、本発明の方法を説明するための、部分的に上張りされた枠組み構造を示す図である。
【００２８】
図１には、安全キャビネットを組み立てるため、特に、整備された枠組み構造を全面が閉鎖されるようにまたは閉鎖可能に上張りするための部材が示されている。構造セットは底部材１０および頭部材７０を有しており、これらの部材は、有利にはプレート状かつ同一形に形成されている。前面は、垂直方向の枠脚部２１，２２および水平方向の枠脚部２３，２４から組み立てられた前方の大枠部材２０によって閉鎖される。垂直方向の枠脚部２１，２２の横断面はＬ字形になっているので、結合しようとする部材に結合する端面は両面とも狭くなっている。したがって、全ての結合箇所で、画一的な閉鎖部材をこれらの端面に組み込むことができるという利点が得られる。キャビネット間の壁部を取り除くと、複数の安全キャビネットを並列させることも簡単にできる。
【００２９】
背面が扉部材５０によって閉鎖される場合には、後方の大枠部材４０が使用される。この後方の大枠部材４０は、垂直方向の枠脚部４１，４２および水平方向の枠脚部４３，４４から組み合わせられていて、扉部材５０、または有利には空調器具であってもよい後壁部材６０を収容できる。後壁部材６０は、後方の大枠部材４０なしでも側面部材３０．１，３０．２に直接的に結合させることができる。前方の大枠部材２０の垂直方向の枠脚部２１，２２および後方の大枠部材４０の垂直方向の枠脚部４１，４２、ならびに扉部材５０の垂直方向の端面には、互いに適合された蝶番兼閉鎖部材が設けられており、これらの部材は、符号２５および４５、ならびに５１で示されている。このような部材は、扉の取り付け部材として自体公知であり、その構造については十分に知られているので、本発明の枠内では、これに対する詳細な説明はしない。
【００３０】
部材同士を結合させるために、有利には図２に示されているような、いわゆる打掛け錠が使用される。この図では、前方の大枠部材２０の垂直方向の枠脚部２１と水平方向の枠脚部２３との間の結合箇所が示されている。この場合、枠脚部２１の垂直方向の端面には、回転可能に支承されたフック８１を備えた錠区分８０が組み込まれており、一方で、枠脚部２３の垂直方向の端面には、これと適合する、緊締ボルト９１を備えた錠区分９０が組み込まれている。図３に示されているように、枠脚部２１から突出するフック８１は、スリーブ状の錠区分９０に導入され、回転によって緊締ボルト９１と係合することができる。回転の最終段階でフック８１が錠区分８０に引き込まれるとき、ここに偏心体を形成することも可能であり、この場合、枠脚部２１，２３は互いに引っ張られ、緊定される。
【００３１】
図２には、部材の二重壁構造も示されている。例えば枠脚部２１，２２は、他の全ての部材のように、金属薄板壁２６，２７に囲まれていて、絶縁材料２８，２９が充填されている。絶縁材料は、防音、断熱、防火等の要求に応じて選択される。このように互いに結合した部材間の当接箇所は、シール部材１００によってシールされており、このシール部材１００は、防火を目的とする場合には、高温に対して耐性を有していなければならない。
【００３２】
部材を、垂直方向および／または水平方向の端面に沿って互いに重ねて互いに結合できることは明らかであり、この場合、１つの部材毎に、２つまたはそれ以上の結合箇所が選択される。この結合箇所はそれぞれ、２つの錠区分８０，９０によって形成されていて、互いに位置合わせがなされている。
【００３３】
図４に基づき、本発明の方法を詳細に説明する。図４には、簡略化のために、支持枠構造２００のうちフレーム構造のみが図示されている。装着は、アセンブリによって任意に行うことができ、接続ケーブルは、有利には支持枠構造２００の側壁を介して導入および接続される。ここで、検査済みの、防火、防水、防ガスのケーブル隔壁システムが使用される。
【００３４】
本発明の方法では、始めに支持枠構造２００を、巻上げ装置によって、底部材１０を支持枠構造２００の下に差し入れることができるまで持ち上げる。次いで差し入れた底部材１０の上に支持枠構造２００を降ろし、そして底部材１０が、全ての面で、支持枠構造２００の外面から同じ距離だけ張り出しているように位置決めする。
【００３５】
その次に、枠脚部２１，２２，２３，２４から組み立てられた前方の大枠部材２０を、支持枠構造２００の前面の領域で、底部材１０の張り出した部分に載せ、底部材１０に結合させる。この場合、水平方向の下方の枠脚部２４の外面の領域、および底部材１０の、枠脚部２４の方を向いた面の領域において、有利には図３のような打掛け錠が２つ組み込まれており、この場合、例えば底部材１０には錠区分９０が、枠脚部２４には錠区分８０が組み込まれている。錠止体軸８２は、有利には工具受容部として形成されており、枠脚部２４の接近開口８３を介して接近可能である。
【００３６】
前方の大枠部材２０を底部材１０に結合した後、プレート状の側面部材３０．１，３０．２を底部材１０に載せ、大枠部材２０のＬ字形をした垂直方向の枠脚部２１，２２の自由な脚部の端面および／または底部材１０に結合させる。この場合、１つの当接箇所につき、それぞれ２つまたはそれ以上の打掛け錠を使用してもよい。当接箇所は、図２のように、要求に応じた特性を有するシール部材１００によってシールされている。
【００３７】
その他の部材自体は、シール部材１００との関連において支持枠構造２００に対する所望の保護、つまり断熱、防音、防火、水飛沫からの保護等がなされるように形成されている。
【００３８】
支持枠構造２００の背面は、枠脚部４１，４２，４３，４４から組み立てられた後方の大枠部材４０によって覆うこともできる。この場合も同様に、枠脚部の間を、当接箇所の領域に組み込まれていてシール部材１００でシールされている打掛け錠によって結合することができる。
【００３９】
図４のように、側面部材３０．１，３０．２の垂直方向の自由な端面には、錠区分９０に導入可能な錠区分８０が設けられており、錠区分９０は、その緊締ボルト９１によって、後方の大枠部材４０の垂直方向の枠脚部４１，４２に組み込まれている。前述のように、後方の大枠部材４０に、扉部材５０を枢着結合することもできる。しかし、後方の大枠部材４０に後壁部材６０を挿入して、大枠部材４０に結合させることもできる。相応の大きさを有する後壁部材６０は、側面部材３０．１，３０．２に直接的に結合させることもできる。この場合、全ての水平方向および垂直方向の当接箇所には、２つのまたはそれ以上の打掛け錠が設けられている。
【００４０】
終わりに、大枠部材２０，４０および側面部材３０．１，３０．２上に頭部材７０を載せ、これらの部材の当接箇所の領域で、この頭部材７０とこれらの部材とを打掛け錠によって互いに結合させる。この場合、接近開口８３は、錠止体８１の回転軸８２に、形成された上張りの外面または内面から接近可能である。
【００４１】
有利には、底部材１０および頭部材７０が同一形に形成されている。同じことが、前方の大枠部材２０および後方の大枠部材４０についても言え、もちろん側面部材３０．１および３０．２も同様に形成されている。このような形式で、支持枠構造２００の上張りに必要な、異なる部材の数が減じられる。全ての結合箇所には、画一的な結合部材、例えば自体公知の打掛け錠が使用されているが、他の錠もまた同様に使用可能である。
【００４２】
支持枠構造２００の背面の領域では、後方の大枠部材４０または後壁部材６０に切欠が設けられており、この切欠を通し、支持枠構造２００への接続ケーブルが案内されている。この接続ケーブルは、切欠内で、追加設置可能なケーブル導入部材によってシールすることができる。
【図面の簡単な説明】
【図１】整備されかつ組み立てられた枠組み構造を上張りするために必要な部材の、斜視的分解図である。
【図２】２つの部材間の結合箇所の、部分拡大図である。
【図３】市販の打掛け錠の斜視図である。
【図４】本発明の方法を説明するための、部分的に上張りされた枠組み構造を示した図である。
【図１】
0003623167.tif 000002
【図２】
0003623167.tif 000003
【図３】
0003623167.tif 000004
【図４】
0003623167.tif 000005